(57)【特許請求の範囲】
【請求項１】
少なくとも左右１対の側面部材を備える商品収納体の内部に陳列板を収容してなる商品陳列什器であって、
前記左右の側面部材に、上下方向に連続する縦長の開口部を設けるとともに、前記開口部を横断して仕切る支持部材を、上下位置変更可能かつ着脱自在に取付け、
前記開口部を挿通して前記商品収納体の外部に突出するように前記陳列板に設けられた把持部材を、前記支持部材により支持したことを特徴とする商品陳列什器。
【請求項２】
開口部を、互いに平行に離間させて前後１対設け、両開口部に、平面視コ字状をなす把持部材における前後の内向杆を挿通したことを特徴とする請求項１に記載の商品陳列什器。
【請求項３】
左右の側面部材の外側面に設けた支持部材により、把持部材の下面または陳列板の側端部を支持しうるようにしたことを特徴とする請求項１または２に記載の商品陳列什器。
【請求項４】
左右の側面部材を、複数の縦ワイヤと横ワイヤとを格子状に結合したワイヤネットよりなるものとし、互いに隣接する２本の縦ワイヤ間を、横ワイヤの結合されていない開口部とするとともに、支持部材に設けた係止部を、前記上下複数の横ワイヤのいずれかに、商品収納体の外側より選択的に係止しうるようにしたことを特徴とする請求項３に記載の商品陳列什器。
【請求項５】
開口部を形成する２本の縦ワイヤの直径を、他の縦ワイヤの直径よりも大としたことを特徴とする請求項４に記載の商品陳列什器。
【請求項６】
把持部材を、商品収納体の内部へ押込み可能または商品収納体の外部において折り畳み可能としたことを特徴とする請求項１〜５のいずれかに記載の商品陳列什器。
【発明の詳細な説明】
【技術分野】
【０００１】
本発明は、スーパーマーケットやホームセンター、ドラッグストア等において、上方に開放された箱状の商品収納体内に設けた陳列板に、多数の商品を山積み状態に陳列する、いわゆる、投げ込み陳列、またはジャンブル陳列に適する商品陳列什器に関する。
【背景技術】
【０００２】
このような商品陳列什器においては、商品を整然と陳列する必要がないので、陳列作業の省力化が図れる利点があるが、山積み状態で陳列された商品の量が徐々に減ってきた場合等において、陳列板上に載置された商品を上方より取り出しにくくなるという問題がある。
この問題に対処しうる従来の商品陳列什器としては、格子状のワイヤネットよりなる側面部材を連結して箱状の収納体を形成し、互いに対向するワイヤネットにおける所望の高さの横ワイヤに、陳列板の両側端部に設けたフックを上方より掛止することにより、陳列板の高さを変更しうるようにしたものがある(例えば特許文献１参照)。
また、ワイヤネットよりなる側面部材の上下複数の横ワイヤに、複数のブラケットの基部に設けた係止片を着脱可能に選択的に係止することにより、ブラケットにより支持された陳列板の高さを変更しうるようにした商品陳列什器もある(例えば特許文献２参照)。
【先行技術文献】
【特許文献】
【０００３】
【特許文献１】特許第２８４８４８５号公報
【特許文献２】特許第４６０７５１５号公報
【発明の概要】
【発明が解決しようとする課題】
【０００４】
上記特許文献１及び２に記載されている商品陳列什器においては、陳列板を支持するフックやブラケットは、収納体の内部において格子状のワイヤネットの横ワイヤに係止されているので、陳列板の高さを収納体の外部から容易に変更することはできない。また、ワイヤネットにより囲まれた収納体内に陳列板が収容されているので、たとえ、陳列板に把持部材を取付けたとしても、この把持部材を把持して、陳列板の高さを収納体の外部から変更することもできない。
【０００５】
さらに、陳列板の高さを変更する場合には、収納体の内部において、格子状のワイヤネットの横ワイヤよりフックやブラケットの基部を取り外してから行う必要があるので、陳列板に商品を載置したままの状態でその高さを変更することは困難である。そのため、陳列板に残置された商品を一旦取り除いてから、陳列板の高さを変更しなければならず、その作業が面倒で時間もかかるので、開店中において陳列板の高さを変更するのは容易ではない。
【０００６】
本発明は、上記問題点に鑑みてなされたもので、陳列板の高さを、それに商品を残置したままの状態で、商品収納体の外部から容易に変更しうるようにした商品陳列什器を提供することを目的としている。
【課題を解決するための手段】
【０００７】
本発明によると、上記課題は、次の各項のようにして解決される。
（１）少なくとも左右１対の側面部材を備える商品収納体の内部に陳列板を収容してなる商品陳列什器であって、前記左右の側面部材に、上下方向に連続する縦長の開口部を設けるとともに、前記開口部を横断して仕切る支持部材を、上下位置変更可能かつ着脱自在に取付け、前記開口部を挿通して前記商品収納体の外部に突出するように前記陳列板に設けられた把持部材を、前記支持部材により支持する。
【０００８】
このような構成によると、左右の側面部材に設けた上下方向に連続する開口部より、陳列板の外側面に取付けた把持部材を挿通させ、左右の側面部材に、開口部を横断して仕切る支持部材を上下位置変更可能かつ着脱自在に取付けているので、商品収納体の外部から把持部材を把持して、陳列板の高さを容易に変更することができる。
また、陳列板に商品を残置した状態のまま、把持部材を把持して陳列板の高さを変更しうるので、開店中においても、商品陳列什器を、商品量に合わせた最適な陳列形態に容易に変更することができる。
【０００９】
（２）上記(１)項において、開口部を、互いに平行に離間させて前後１対設け、両開口部に、平面視コ字状をなす把持部材における前後の内向杆を挿通する。
【００１０】
このような構成によると、把持部材を把持して、陳列板を安定よく昇降させうるので、その高さの変更も容易となる。
また、平面視コ字状をなす把持部材が、商品陳列什器を移動するときの手掛け部にもなるので、店舗の内外での商品陳列什器の移動が容易となる。
【００１１】
（３）上記(１)または(２)項において、左右の側面部材の外側面に設けた支持部材により、把持部材の下面または陳列板の側端部を支持しうるようにする。
【００１２】
このような構成によると、開口部を横断して仕切る支持部材を、側面部材の外側面に上下位置変更可能かつ着脱自在に取付けるだけで、この支持部材により、陳列板を所望の高さに簡単に変更することができる。
【００１３】
（４）上記(３)項において、左右の側面部材を、複数の縦ワイヤと横ワイヤとを格子状に結合したワイヤネットよりなるものとし、互いに隣接する２本の縦ワイヤ間を、横ワイヤの結合されていない開口部とするとともに、支持部材に設けた係止部を、前記上下複数の横ワイヤのいずれかに、商品収納体の外側上方より選択的に係止しうるようにする。
【００１４】
このような構成によると、側面部材をワイヤネットよりなるものとし、互いに隣接する２本の縦ワイヤ間を、横ワイヤの結合されていない開口部とするだけで、側面部材に上下方向に連続する開口部を容易に形成することができる。
また、ワイヤネットの上下複数の横ワイヤを利用して、支持部材を、側面部材の上下方向の所望の位置に、商品収納体の外部から極めて容易に取付けることができるので、開店中においても、商品陳列什器を、商品量に合わせた最適な陳列形態に迅速に変更することができる。
【００１５】
（５）上記(４)項において、開口部を形成する２本の縦ワイヤの直径を、他の縦ワイヤの直径よりも大とする。
【００１６】
このような構成によると、側面部材が大径の縦ワイヤにより補強されるので、側面部材に支持部材を介して支持される陳列板の支持強度を大とすることができる。
【００１７】
（６）上記(１)〜(５)項のいずれかにおいて、把持部材を、商品収納体の内部へ押込み可能または商品収納体の外部において折り畳み可能とする。
【００１８】
このような構成によると、把持部材が、店内での買物客の歩行や陳列板上の商品を取り出す際等において邪魔になるのが防止される。
【発明の効果】
【００１９】
本発明によると、陳列板の高さを、それに商品を残置したままの状態で、商品収納体の外部から容易に変更しうるようにした商品陳列什器を提供することができる。
【図面の簡単な説明】
【００２０】
【図１】本発明に係る商品陳列什器の一実施形態の分解斜視図である。
【図２】同じく、商品陳列什器の正面図である。
【図３】同じく、商品陳列什器の右側面図である。
【図４】同じく、商品陳列什器の平面図である。
【図５】同じく、商品陳列什器の右側部の拡大斜視図である。
【図６】支持部材と、それが係止される側面部材の一部の拡大斜視図である。
【図７】図３のVII−VIIにおける拡大縦断面図である。
【図８】図３のVIII−VIIIにおける拡大縦断面図である。
【図９】把持部材の変形例における図７と同部位の拡大縦断面図である。
【図１０】同じく、把持部材を商品収納体の内部に押し込んだ状態における拡大縦断面図である。
【図１１】把持部材の他の変形例における要部の拡大斜視図である。
【図１２】同じく、把持部材を折り畳んだ状態における拡大正面図である。
【図１３】支持部材の変形例における図７と同部位の拡大縦断面図である。
【発明を実施するための形態】
【００２１】
以下、本発明の一実施形態を、図面に基づいて説明する。
図１〜図５は、本実施形態に係る商品陳列什器を示す。なお、便宜上、図１の斜め左下方を前方、斜め右下方を右方として説明する。
【００２２】
商品陳列什器１は、下面の四隅部にキャスタ２が取付けられた平面形が左右方向に長い方形のベース台３と、ベース台３の周縁部の上面に立設され、前後左右の４面が閉塞されるとともに、上方に開放された箱状の商品収納体４と、この商品収納体４の内部に高さ変更可能として収容された陳列板５とを備えている。
【００２３】
商品収納体４は、前後１対の側面部材６、６と左右１対の側面部材７、７の側端同士を互いに連結して組み立てられている。前後の側面部材６、６は、左右方向に長い方形をなす枠状フレーム８により囲まれた内部に、複数の縦ワイヤ９ａと横ワイヤ９ｂとからなる格子状のワイヤネット９を張設して形成されている。なお、この実施形態では、後部の側面部材６の高さを前部のそれよりも大としているが、それらの高さを等しくしてもよい。
【００２４】
左右の側面部材７、７は、前部と後部の高さを、それぞれ前後の側面部材６、６の枠状フレーム８と同じ高さとした側面視概ね方形をなす枠状フレーム１０と、この枠状フレーム１０の前部と後部における上下の対向面に連結された、互いに平行に離間する前後１対ずつの補強用縦ワイヤ１１、１１とを備え、枠状フレーム１０により囲まれた枠内には、前後の１対ずつの補強用縦ワイヤ１１、１１の対向面間を除いて、複数の縦ワイヤ１２ａと横ワイヤ１２ｂとからなる格子状のワイヤネット１２が張設されている。なお、補強用縦ワイヤ１１も、ワイヤネット１２の一部を構成している。
【００２５】
前部と後部の１対の補強用縦ワイヤ１１、１１の対向面間には、横ワイヤ１２ｂが結合されていない、上下方向に連続する縦長の開口部１３、１３が、互いに平行に離間するようにして形成されている。なお、補強用縦ワイヤ１１は、側面部材７を補強して、この側面部材７に後述の支持部材２１を介して支持される陳列板５の支持強度を大とするために、他の縦ワイヤ１２ａよりも大径としてあるが、他の縦ワイヤ１２ａと等しい径とすることもある。
【００２６】
前後の側面部材６、６における枠状フレーム８の左右両端部には、下向きの連結ピン１４ａを有する上下２個ずつの連結金具１４、１４が固着されている。また、左右の側面部材７、７における枠状フレーム１０の前後両面には、枠状フレーム８の各連結ピン１４ａが上方より嵌合可能な円筒形をなす上下２個ずつの被連結金具１５、１５が固着されている。前後の側面部材６、６における上下の連結金具１４の連結ピン１４ａを、左右の側面部材７、７における上下の被連結金具１５に上方より落とし込んで嵌合することにより、前後左右の４面が側面部材６、７により閉塞された箱状の商品収納体４が形成されている。
【００２７】
前後左右の各側面部材６、７における枠状フレーム８、１０の両側端部下面には、下向きピン１６、１６が突設され、それらの下向きピン１６を、ベース台３の四隅部の上面に設けた嵌合孔１７、１７に、上方より嵌合することにより、商品収納体４は、ベース台３の周縁部の上面に立設されている。
【００２８】
図７に示すように、陳列板５は、その前後左右の周縁に下向折曲片５ａを形成することにより補強されている。左右の下向折曲片５ａの外側面の中央部には、平面視コ字状をなす把持部材１８における前後１対の内向杆１８ａ、１８ａの内端が、左右の側面部材７に形成された前後の開口部１３、１３を挿通させて固定されている。すなわち、パイプよりなる両内向杆１８ａの開口端部内にナット１９を固着し、このナット１９に、下向折曲片５ａの内側方より挿入したボルト２０を螺合することにより、把持部材１８は、左右の下向折曲片５ａの外側面に着脱可能として固定されている。
【００２９】
左右の側面部材７、７には、陳列板５を高さ変更可能として支持するための支持部材２１、２１が、次のようにして取り付けられる。
図５及び図６に拡大して示すように、左右の支持部材(左右対称につき右方のみ図示する)２１は、その前後寸法が、把持部材１８の前後寸法よりも長く、かつ側面部材７の前後の開口部１３、１３を横断して同時に仕切りうるように、両開口部１３、１３の前後の離間寸法よりも大とされている。
【００３０】
支持部材２１は、把持部材１８の内向杆１８ａ、１８ａの下面を支持可能な前後方向を向く板状の支持部２１ａと、この支持部２１ａの上縁に連設された、内方及び下方に向かって延出する倒立Ｌ字状断面の前後複数(本実施形態では４個)の係止部２１ｂとからなっている。図６及び図８に示すように、複数の係止部２１ｂは、側面部材７における前後の開口部１３、１３を挟む両側の上下複数の横ワイヤ１２ｂのいずれかに、商品収納体４の外側上方から選択的に係止しうるようになっている。
【００３１】
陳列板５を支持部材２１により所望の高さに支持するには、まず、商品収納体４の内部に収容した陳列板５を、ベース台３の上面に載置した状態で、陳列板５の左右の下向折曲片５ａに、把持部材１８の前後の内向杆１８ａ、１８ａを、前述した要領でボルト２０により固定する。
【００３２】
次いで、左右の把持部材１８を把持して、陳列板５を、目的の支持位置を超える高さまで持ち上げ、左右の支持部材２１、２１の複数の係止部２１ｂを、左右の側面部材７、７における陳列板５よりも下方の横ワイヤ１２ｂの前後複数箇所に、上述した要領で係止する。
【００３３】
次いで、持ち上げた陳列板５を下降させると、図５及び図７に示すように、商品収納体４の外方において、把持部材１８の内向杆１８ａ、１８ａにおける側面部材７と近接する部分の下面が、支持部材２１の支持部２１ａの上端に当接し、陳列板５は、左右の支持部材２１、２１により所望の高さに支持される。陳列板５の高さを変更する場合には、左右の把持部材１８を把持して陳列板５を持ち上げ、左右の支持部材２１の係止部２１ｂを、上下の横ワイヤ１２ｂのいずれかに選択して係止したのち、陳列板５を再度下降させて、把持部材１８の内向杆１８ａを支持部材２１の支持部２１ａの上端に当接させればよい。
【００３４】
図９及び図１０は、把持部材１８の変形例を示す。
この例では、陳列板５の下向折曲片５ａに、左右方向を向く短寸の支持筒２２を、溶接等により固着し、この支持筒２２に、把持部材１８の内向杆１８ａを摺動可能に嵌合するとともに、内向杆１８ａの開口端部内に固着したナット１９に、ボルト２０を、支持筒２２よりも大径のワッシャ２３を介して螺合することにより、陳列板５に、把持部材１８を、商品収納体４の内部へ押込み可能として取付けたものである。
【００３５】
このようにすると、図９に示すように、把持部材１８の使用時には、外側方に引き出して通常に使用しうるとともに、把持部材１８の不使用時においては、図１０に示すように、把持部材１８を商品収納体４の内部へ押し込んでおくことができるので、把持部材１８が、店内での買物客の歩行や陳列板５上の商品を取り出す際等において邪魔になるのが防止される。
【００３６】
図１１及び図１２は、把持部材１８の他の変形例を示す。
この例では、把持部材１８の内向杆１８ａを、陳列板５に固着された基部側の第１内向杆２４と、商品収納体４より外側の第２内向杆２５との２分割構造とし、第１内向杆２４の外側端部に突設した板状の連結片２４ａに、第２内向杆２５の内側端部に設けた、内方と上下両方向に開口するすり割り状の嵌合溝２６を嵌合し、第１内向杆２４と第２内向杆２５とを、前後方向のヒンジ軸２７をもって上下方向に相対回動可能に連結するとともに、第２内向杆２５の内側端部の上面に、連結片２４ａの上面に当接可能なストッパ片２８を固着したものである。
【００３７】
このようにすると、把持部材１８の通常使用時においては、図１２の実線で示すように、第２内向杆２５の上面のストッパ片２８が、第１内向杆２４の連結片２４ａの上面に当接するため、把持部材１８を把持して陳列板５を昇降させることができる。一方、把持部材１８の不使用時においては、図１２の２点鎖線示のように、第１内向杆２４よりも外側の把持部材１８を、ヒンジ軸２７を中心として下方に折り畳むことができるので、上述と同様に、把持部材１８が、買物客の歩行や陳列板５上の商品を取り出す際等において邪魔になることはない。
【００３８】
以上説明したように、上記実施形態の商品陳列什器においては、左右の側面部材７に、上下方向に連続する開口部１３を設け、この開口部１３より、陳列板５の外側面に取付けた把持部材１８の内向杆１８ａを挿通させているので、商品収納体４の外部から把持部材１８を把持して、陳列板５の高さを容易に変更することができる。
【００３９】
また、陳列板５を支持する支持部材２１を、側面部材７の横ワイヤ１２ｂに、商品収納体４の外部より着脱可能として簡単に係止することができるので、陳列板５に商品を残置した状態のまま、把持部材１８を把持して陳列板５を持ち上げ、上下複数の横ワイヤ１２ｂへの支持部材２１の係止位置を選択的に変えるだけで、支持部材により、陳列板５の高さを簡単に変更することができる。従って、例えば、陳列板５に山積み状態に陳列した商品が徐々に減ってきた場合等においては、陳列板５の高さを、商品が取り出し易いように高くするなど、開店中においても、商品陳列什器１を、商品量に合わせた最適な陳列形態に迅速に変更することができる。
【００４０】
さらに、把持部材１８を平面視コ字状をなすものとしてあるので、把持部材１８が、商品陳列什器１を移動するときの手掛け部にもなり、店舗の内外での商品陳列什器１の移動が容易となる。
【００４１】
本発明は、上記実施形態に限定されるものではなく、本発明の要旨を逸脱しない範囲内で、種々の変形や変更を施すことが可能である。
上記実施形態では、把持部材１８の前後の内向杆１８ａの下面を、支持部材２１の支持部２１ａの上端に当接させて、陳列板５を支持するようにしたが、図１３に示すように、陳列板５の左右両側の下向折曲片５ａの下端部を支持するようにしてもよい。この際には、支持部材２１に、係止部２１ｂの下端と連続する正面視Ｌ字状断面の支持部２１ｃを、内上向きに折曲して設け、この支持部２１ｃにより、陳列板５の下向折曲片５ａの下端部を支持するようにすればよい。なお、陳列板５は、下向折曲片５ａのない平板またはワイヤネット状のものとしてもよいが、この際には、支持部２１ｃを内方に向かって水平に折曲して、陳列板５の側端部下面を支持するようにすればよい。
このように、陳列板５の下面を支持部材２１により直接支持する場合には、必ずしも側面部材７の開口部１３を、長寸の支持部材２１により横断して仕切る必要がないので、短寸の支持部材２１を複数用意し、それらを、開口部１３と隣接する横ワイヤ１２ｂに係止して、陳列板５の側端部下面の前後複数箇所を支持するようにしてもよい。
【００４２】
また、上記実施形態では、商品収納体４を構成する前後左右の側面部材６、７を、ワイヤネット９、１２よりなるものとしたが、パネル状の側面部材としてもよい。この際には、左右の側面部材に、上下方向に連続する前後１対の開口部を設けるとともに、支持部材２１の係止部２１ｂを係止しうる複数の係止孔等を、上下方向に所定間隔おきに設ければよい。
【００４３】
さらに、上記実施形態では、支持部材２１の前後寸法を長寸として、把持部材１８の前後の内向杆１８ａを１個の支持部材２１により支持するようにしているが、短寸をなす前後１対の支持部材により前後の開口部１３を別々に横断して仕切り、前後１対の支持部材により把持部材１８の前後の内向杆１８ａを個別に支持するようにしてもよい。
【００４４】
上記実施形態では、把持部材１８を平面視コ字状をなすものとしたが、前後１対のロッド状の把持部材としてもよい。
【００４５】
上記実施形態では、商品収納体４を、前後左右の側面部材６、７よりなるものとしたが、前後の側面部材６を省略し、左右１対の側面部材７のみとすることもある。この際には、側面部材７の下端部を、ベース台３に、ねじやブラケット等の固定手段により強固に固定すればよい。
【符号の説明】
【００４６】
１  商品陳列什器
２  キャスタ
３  ベース台
４  商品収納体
５  陳列板
５ａ  下向折曲片
６、７  側面部材
８  枠状フレーム
９  ワイヤネット
９ａ  縦ワイヤ
９ｂ  横ワイヤ  
１０  枠状フレーム
１１  補強用縦ワイヤ
１２  ワイヤネット
１２ａ  縦ワイヤ
１２ｂ  横ワイヤ
１３  開口部
１４  連結金具
１４ａ  連結ピン
１５  被連結金具
１６  下向きピン
１７  嵌合孔
１８  把持部材
１８ａ  内向杆
１９  ナット
２０  ボルト
２１  支持部材
２１ａ  支持部
２１ｂ  係止部
２１ｃ  支持部
２２  支持筒
２３  ワッシャ
２４  第１内向杆
２４ａ  連結片
２５  第２内向杆
２６  嵌合溝
２７  ヒンジ軸
２８  ストッパ片
【図１】
0006556996.tif 000002
【図２】
0006556996.tif 000003
【図３】
0006556996.tif 000004
【図４】
0006556996.tif 000005
【図５】
0006556996.tif 000006
【図６】
0006556996.tif 000007
【図７】
0006556996.tif 000008
【図８】
0006556996.tif 000009
【図９】
0006556996.tif 000010
【図１０】
0006556996.tif 000011
【図１１】
0006556996.tif 000012
【図１２】
0006556996.tif 000013
【図１３】
0006556996.tif 000014